(57)【要約】【課題】蓄熱運転から冷房運転に切り替えた場合、室内空間の快適性の低下を抑制する冷温水給湯装置を提供する。【解決手段】冷媒対流体熱交換器２２から流出した流体が蓄熱タンク５５内の湯水を加熱する蓄熱運転から、負荷側熱交換器５３が吸熱する冷房運転への変更時、冷媒対流体熱交換器２２に配設された温度センサ７０で検出される流体の温度に基づいて、冷媒対流体熱交換器２２から流出した流体を、負荷側熱交換器５３側へ流すか、冷媒対流体熱交換器２２側へ戻すかを決定する構成としたことを特徴とする冷温水給湯装置で、冷房運転の場合の室内空間の快適性の低下を抑制することができる。【選択図】図２
2012117769.tif 000002
【特許請求の範囲】
【請求項１】
圧縮機、冷媒対流体熱交換器、膨張手段、冷媒対空気熱交換器が環状に接続された冷媒回路と、前記冷媒対流体熱交換器に負荷側熱交換器が環状に接続された流体回路と、湯水を貯留する蓄熱タンクと、前記流体回路に配設され、前記冷媒対流体熱交換器から流出した流体を前記蓄熱タンクを介して前記冷媒対流体熱交換器側に戻す第一切替回路と、前記流体回路に配設され、前記冷媒対流体熱交換器から流出した流体を前記負荷側熱交換器側には流さずに前記冷媒対流体熱交換器側に戻す第二切替回路と、前記冷媒対流体熱交換器における流体の温度を検出する温度センサと、制御装置とを備え、前記冷媒対流体熱交換器から流出した流体が前記蓄熱タンク内の湯水を加熱する蓄熱運転から、前記負荷側熱交換器が吸熱する冷房運転への変更時、前記温度センサで検出される流体の温度に基づいて、前記冷媒対流体熱交換器から流出した流体を、前記第二切替回路を介して前記冷媒対流体熱交換器側に戻すか、前記負荷側熱交換器側へ流すかを決定する構成としたことを特徴とする冷温水給湯装置。
【請求項２】
前記蓄熱運転から前記冷房運転に変更時、前記温度センサで検出される流体温度が所定温度以上のときには、前記冷媒対流体熱交換器から流出した流体を、前記第二切替回路を介して、前記冷媒対流体熱交換器側に戻す構成としたことを特徴とする請求項１に記載の冷温水給湯装置。
【請求項３】
前記蓄熱運転から前記冷房運転に変更時、前記温度センサで検出される流体温度が所定温度未満のときには、前記冷媒対流体熱交換器から流出した流体を、前記負荷側熱交換器側へ流す構成としたことを特徴とする請求項１に記載の冷温水給湯装置。
【請求項４】
前記負荷側熱交換器が設置された室内空間の空気温度を検出する空気温度センサを備え、前記所定温度は前記空気温度センサが検出する温度に基づいて設定されることを特徴とする請求項２または３に記載の冷温水給湯装置。
【発明の詳細な説明】
【技術分野】
【０００１】
本発明は、ヒートポンプを用いて室内空間の冷暖房や蓄熱タンクへの蓄熱を行う冷温水給湯装置に関するものである。
【背景技術】
【０００２】
従来、冷媒回路の冷媒対流体熱交換器の蒸発潜熱を利用して低温の流体を生成して循環させ、負荷側熱交換器が吸熱を行なって室内空間を冷却する冷房運転を行なったり、冷媒対流体熱交換器の凝縮潜熱を利用して高温の流体を生成して循環させ、流体が蓄熱タンクを加熱する蓄熱運転を行なったりする冷温水給湯装置が知られている。
【０００３】
例えば、図６に示すような冷凍サイクル装置１００を用いて、室内空間の冷暖房や蓄熱タンク３００への蓄熱を行うことが開示されている（例えば、特許文献１参照）。
【０００４】
この冷凍サイクル装置１００は、冷媒を循環させる冷媒回路１１０、圧縮機１１１、四方弁１１２、冷媒対流体熱交換器１１３、膨張手段１１４、空気対流体熱交換器１１５が配管により環状に接続されて構成されている。
【０００５】
冷媒対流体熱交換器１１３は、冷媒回路１１０と、流体回路２１０とを備えている。流体回路２１０は、冷媒対流体熱交換器１１３、循環手段２２０、流路切替弁２３０を備えている。流路切替弁２３０を切り替えて、流体を負荷側熱交換器や蓄熱タンク３００へ流通させる。負荷側熱交換器は、熱交換器と送風ファンを備えたファンコイルユニット等である。
【０００６】
冷房運転の場合、冷媒対流体熱交換器１１３で生成した低温の流体は流路切替弁２３０を経由して負荷側熱交換器へ流通し、負荷側熱交換器を介して室内空間から吸熱して室内空間を冷却した後、冷媒対流体熱交換器１１３へ戻り流体回路２１０を循環する。
【０００７】
蓄熱運転の場合、冷凍サイクル装置１００は四方弁１１２を切り替え、冷房運転の場合と比べ、冷媒の流れる方向を逆転させる。
【０００８】
冷媒対流体熱交換器１１３で生成した高温の流体は流路切替弁２３０を経由して蓄熱タンク３００へ流通し、蓄熱タンク３００へ放熱して蓄熱タンク３００を加熱し蓄熱した後、冷媒対流体熱交換器１１３へ戻り流体回路２１０を循環する。蓄熱タンク３００内で加熱された流体は、給湯等に使われる。
【０００９】
冷房運転から蓄熱運転へ切り替える場合や、蓄熱運転から冷房運転へ切り替える場合は、流路切替弁２３０を切り替える。
【００１０】
このように、冷媒対流体熱交換器１１３で低温の流体や高温の流体を生成し、流路切替弁２３０を切り替えて流体を搬送している。
【００１１】
つまり、流路切替弁２３０を切り替えることにより、冷媒対流体熱交換器１１３から流出した流体の搬送先を変えて、冷房運転の場合に室内空間の冷却を行ったり、蓄熱運転の場合に蓄熱タンク３００を加熱し蓄熱を行ったりする。
【先行技術文献】
【特許文献】
【００１２】
【特許文献１】欧州特許出願公開第２２０４６２０号明細書
【発明の概要】
【発明が解決しようとする課題】
【００１３】
しかしながら、前記従来の構成では蓄熱運転から冷房運転に切り替えた場合、冷媒対流体熱交換器と流路切替弁との間に滞留している高温の流体が負荷側熱交換器へ流通することで、高温の流体が負荷側熱交換器を介して室内空間へ放熱し、室内空間の温度上昇が継続し、室内空間の快適性が低下するという課題を有していた。
【００１４】
本発明は、前記従来の課題を解決するもので、蓄熱運転から冷房運転に切り替えた場合、室内空間の温度上昇を抑制し、蓄熱運転から冷房運転へ切り替えた直後から、室内空間を冷却することができる冷温水給湯装置を提供することを目的とする。
【課題を解決するための手段】
【００１５】
前記従来の課題を解決するために、本発明の冷温水給湯装置は、圧縮機、冷媒対流体熱交換器、膨張手段、冷媒対空気熱交換器が環状に接続された冷媒回路と、前記冷媒対流体熱交換器に負荷側熱交換器が環状に接続された流体回路と、湯水を貯留する蓄熱タンクと、前記流体回路に配設され、前記冷媒対流体熱交換器から流出した流体を前記蓄熱タンクを介して前記冷媒対流体熱交換器側に戻す第一切替回路と、前記流体回路に配設され、前記冷媒対流体熱交換器から流出した流体を前記負荷側熱交換器側には流さずに前記冷媒対流体熱交換器側に戻す第二切替回路と、前記冷媒対流体熱交換器における流体の温度を検出する温度センサと、制御装置とを備え、前記冷媒対流体熱交換器から流出した流体が前記蓄熱タンク内の湯水を加熱する蓄熱運転から、前記負荷側熱交換器が吸熱する冷房運転への変更時、前記温度センサで検出される流体の温度に基づいて、前記冷媒対流体熱交換器から流出した流体を、前記第二切替回路を介して前記冷媒対流体熱交換器側に戻すか、前記負荷側熱交換器側へ流すかを決定する構成としたことを特徴とするものである。
【００１６】
これにより、蓄熱運転から冷房運転に切り替えた場合、室内空間の温度上昇を抑制し、蓄熱運転から冷房運転へ切り替えた直後から、室内空間を冷却することができる冷温水給湯装置を提供できるものである。
【発明の効果】
【００１７】
本発明によれば、蓄熱運転から冷房運転に切り替えた場合、室内空間の温度上昇を抑制し、蓄熱運転から冷房運転へ切り替えた直後から、室内空間を冷却することができる冷温水給湯装置を提供できる。
【図面の簡単な説明】
【００１８】
【図１】本発明の実施の形態１における冷温水給湯装置の流体回路の概略説明図（蓄熱運転）
【図２】同冷温水給湯装置の流体回路の概略説明図（第二流路切替弁切り替え前の冷房運転）
【図３】同冷温水給湯装置の流体回路の概略説明図（第二流路切替弁切り替え後の冷房運転）
【図４】同冷温水給湯装置の運転動作フローチャート
【図５】本発明の実施の形態２における冷温水給湯装置の流体回路の概略説明図（第二流路切替弁切り替え前の冷房運転）
【図６】従来の冷温水給湯装置の概略構成図
【発明を実施するための形態】
【００１９】
第１の発明は、圧縮機、冷媒対流体熱交換器、膨張手段、冷媒対空気熱交換器が環状に
接続された冷媒回路と、前記冷媒対流体熱交換器に負荷側熱交換器が環状に接続された流体回路と、湯水を貯留する蓄熱タンクと、前記流体回路に配設され、前記冷媒対流体熱交換器から流出した流体を前記蓄熱タンクを介して前記冷媒対流体熱交換器側に戻す第一切替回路と、前記流体回路に配設され、前記冷媒対流体熱交換器から流出した流体を前記負荷側熱交換器側には流さずに前記冷媒対流体熱交換器側に戻す第二切替回路と、前記冷媒対流体熱交換器における流体の温度を検出する温度センサと、制御装置とを備え、前記冷媒対流体熱交換器から流出した流体が前記蓄熱タンク内の湯水を加熱する蓄熱運転から、前記負荷側熱交換器が吸熱する冷房運転への変更時、前記温度センサで検出される流体の温度に基づいて、前記冷媒対流体熱交換器から流出した流体を、前記第二切替回路を介して前記冷媒対流体熱交換器側に戻すか、前記負荷側熱交換器側へ流すかを決定する構成としたことを特徴とする冷温水給湯装置である。
【００２０】
これにより、蓄熱運転から冷房運転に切り替えた場合、室内空間の温度上昇を抑制し、蓄熱運転から冷房運転へ切り替えた直後から、室内空間を冷却することができる冷温水給湯装置を提供できるものである。
【００２１】
第２の発明は、特に、第１の発明における冷温水給湯装置において、前記蓄熱運転から前記冷房運転に変更時、前記温度センサで検出される流体温度が所定温度以上のときには、前記冷媒対流体熱交換器から流出した流体を、前記第二切替回路を介して、前記冷媒対流体熱交換器側に戻す構成としたことを特徴とするものである。
【００２２】
これにより、蓄熱運転から冷房運転へ切り替える場合、温度センサで検出される流体温度が所定温度以上のときには、第二切替回路側に切り替えることにより、高温の流体は冷媒対流体熱交換器で所定温度まで冷却されるまで循環するため、高温の流体が負荷側熱交換器へ流入せず、室内空間の温度上昇を抑制できるものである。
【００２３】
第３の発明は、特に、第１の発明における冷温水給湯装置において、前記蓄熱運転から前記冷房運転に変更時、前記温度センサで検出される流体温度が所定温度未満のときには、前記冷媒対流体熱交換器から流出した流体を、前記負荷側熱交換器側へ流す構成としたことを特徴とするものである。
【００２４】
これにより、蓄熱運転から冷房運転へ切り替える場合、冷媒対流体熱交換器における温度センサで検出される流体温度が所定温度未満のときには、負荷側熱交換器側へ切り替える制御とすることにより、所定温度未満の流体が負荷側熱交換器へ流入し、負荷側熱交換器を介して室内空間から吸熱するため、蓄熱運転から冷房運転へ切り替えた直後から、室内空間を冷却することができる。
【００２５】
第４の発明は、特に第２または第３のいずれかの発明における冷温水給湯装置において、前記負荷側熱交換器が設置された室内空間の空気温度を検出する空気温度センサを備え、前記所定温度は前記空気温度センサが検出する温度に基づいて設定されることを特徴とするものである。
【００２６】
これにより、切替温度が固定されている場合に対して、室内空間の室内空気温度が高い場合には、冷房待機運転から冷房運転へ早い段階で切り替えて、冷房待機時間の短縮化を図ることができるため、エネルギー効率を向上させることができる。
【００２７】
以下、本発明の実施の形態について、図面を参照しながら説明する。なお、この実施の形態によって本発明が限定されるものではない。
【００２８】
（実施の形態１）
図１に、本発明の第１の実施の形態に係る冷温水給湯装置１０を示す。
【００２９】
この冷温水給湯装置１０は、冷凍サイクル装置１と、流体回路５と、負荷側熱交換器５３と、蓄熱タンク５５、とを備えている。
【００３０】
冷凍サイクル装置１は、冷媒を循環させる冷媒回路２を備えており、冷媒としては、例えば、Ｒ４１０Ａ等の擬似共沸混合冷媒、またはＲ３２等の単一冷媒等を用いることができる。
【００３１】
冷媒回路２は、圧縮機２１、冷媒対流体熱交換器２２、膨張弁やキャピラリーチューブなどの膨張手段２３及び冷媒対空気熱交換器２４が配管により環状に接続されて構成されている。本実施の形態では、冷媒対空気熱交換器２４と圧縮機２１の間に、気液分離を行うアキュムレータ２６が設けられている。また、冷媒回路２には、蓄熱タンク５５を加熱する蓄熱運転と負荷側熱交換器５３が吸熱を行う冷房運転とを切り替えるための四方弁２５が設けられている。
【００３２】
本実施の形態では、冷凍サイクル装置１は、冷媒対流体熱交換器２２で生成した低温の流体を負荷側熱交換器５３での吸熱に利用したり、冷媒対流体熱交換器２２で生成した高温の流体を蓄熱タンク５５の加熱等に利用したりする、冷温水生成装置を構成している。冷媒対流体熱交換器２２は、冷媒と流体との間で熱交換を行わせる熱交換器となっている。
【００３３】
流体回路５は、流入管５１、冷媒対流体熱交換器２２、流出管５２、第一流路切替弁６０、第二流路切替弁６１、負荷側熱交換器５３、循環手段５４を備え、第一流路切替弁６０から分岐し、蓄熱タンク５５を経由して冷媒対流体熱交換器２２と負荷側熱交換器５３との間の流体回路５に接続した第一切替回路６２と、第二流路切替弁６１から分岐し、冷媒対流体熱交換器２２と負荷側熱交換器５３との間の流体回路５に接続した第二切替回路６３と、制御装置４とを備えている。
【００３４】
冷媒対流体熱交換器２２には、流体温度を検出する温度センサ７０が設置されている。以上のように構成された冷温水給湯装置について、以下その動作、作用を説明する。
【００３５】
まず、図１では冷媒対流体熱交換器２２で生成された高温の流体が、蓄熱タンク５５を加熱する蓄熱運転の場合の冷媒および流体の流れ方向を矢印で示している。
【００３６】
圧縮機２１から吐出した高圧冷媒は四方弁２５を介して冷媒対流体熱交換器２２へ流入し、冷媒対流体熱交換器２２を流通する流体を加熱する。流体としては、水または不凍液である。
【００３７】
冷媒対流体熱交換器２２から流出した高圧液冷媒は、膨張手段２３によって減圧されて膨張した後に、冷媒対空気熱交換器２４へ流入する。冷媒対空気熱交換器２４へ流入した低圧二相冷媒は、蒸発して空気から気化熱を吸熱して、低圧の二相冷媒または過熱冷媒となって冷媒対空気熱交換器２４から流出する。
【００３８】
冷媒対空気熱交換器２４から流出した低圧冷媒は、四方弁２５を通過してアキュムレータ２６で気液分離が行われた後、気相冷媒が圧縮機２１に吸入する。
【００３９】
冷媒対流体熱交換器２２で生成された高温の流体は、流出管５２を流通し第一流路切替弁６０を介して第一切替回路６２へ流入して蓄熱タンク５５を加熱し、循環手段５４を経由して流入管５１を流通して冷媒対流体熱交換器２２へ流入し循環する。
制御装置４は、第一流路切替弁６０が第一切替回路６２側や負荷側熱交換器５３側へ向く制御や、第二流路切替弁６１が第二切替回路６３側や負荷側熱交換器５３側へ向く制御を行う。
【００４０】
蓄熱運転から、負荷側熱交換器５３が吸熱を行う冷房運転へ切り替える場合、制御装置４は第一流路切替弁６０を負荷側熱交換器５３側へ切り替え、かつ、第二流路切替弁６１を第二切替回路６３側へ向く制御を行う（図２）。
【００４１】
圧縮機２１から吐出した高圧冷媒は、四方弁２５を介して冷媒対空気熱交換器２４へ流入し凝縮熱を放熱して、冷媒自身は冷却して液化凝縮する。冷却した高圧液冷媒は、冷媒対流体熱交換器２２から流出する。
【００４２】
冷媒対空気熱交換器２４から流出した高圧液冷媒は、膨張手段２３によって減圧されて膨張した後に、冷媒対流体熱交換器２２へ流入する。冷媒対流体熱交換器２２へ流入した低圧二相冷媒は、蒸発して流体から気化熱を吸熱して、低圧の二相冷媒または過熱冷媒となって冷媒対流体熱交換器２２から流出する。
【００４３】
冷媒対流体熱交換器２２から流出した低圧冷媒は、四方弁２５を通過してアキュムレータ２６で気液分離が行われた後、気相冷媒が圧縮機２１に吸入する。
【００４４】
冷媒対流体熱交換器２２で冷却された流体は、流出管５２、第一流路切替弁６０を流通し、第二流路切替弁６１を介して第二切替回路６３へ流入する。流体は、第二切替回路６３を流通後、循環手段５４を経由して流入管５１を流通して冷媒対流体熱交換器２２へ流入し循環する。
【００４５】
冷媒対流体熱交換器２２に設置された温度センサ７０で検出される流体温度Ｔｗが、所定温度（以下、切替温度Ｔｏという）以上の場合、制御装置４は第二流路切替弁６１を第二切替回路６３側へ向け、切替温度Ｔｏ未満の場合、制御装置４は第二流路切替弁６１を第二切替回路６３側から負荷側熱交換器５３側へ切り替える（図３）。
【００４６】
ここで、一般に、冷却された流体を用いて冷房運転を行う装置では、切替温度Ｔｏは摂氏２０度前後に設定されていることが多いため、本実施の形態では切替温度Ｔｏは、例えば摂氏２０度に設定される。
【００４７】
以下、制御動作について詳細に説明する。温度センサ７０で検出した温度に基づいて、制御装置４は第一流路切替弁６０および第二流路切替弁６１を制御する。蓄熱運転や冷房運転の場合の制御装置４の制御を図４に示すフローチャートを参照して説明する。
【００４８】
まず、冷温水給湯装置１０の制御装置４は、蓄熱運転運要求があるか判定する（ステップＳ１）。蓄熱運転運要求がない場合は現在の状態を維持し、蓄熱運転運要求がある場合は、第一流路切替弁６０を第一切替回路６２側へ切り替え、第二流路切替弁６１を第二切替回路６３側へ切り替える（Ｓ２）。
【００４９】
冷媒対流体熱交換器２２、流体回路５、第一流路切替弁６０、第二流路切替弁６１、第二切替回路６３、循環手段５４が環状に接続された回路を第一循環回路には、冷媒対流体熱交換器２２で生成された高温の流体が循環し、蓄熱タンクを加熱する。
制御装置４は、冷房運転要求があるか判定し（ステップＳ３）、冷房運転運要求がない場合は現在の状態を維持し、冷房運転運要求がある場合は第一流路切替弁６０を第一切替回路６２から負荷側熱交換器５３側へ切り替える（Ｓ４）。このとき、第一循環回路を循環していた高温の流体の一部は流入管５１を介して冷媒対流体熱交換器２２へ流入し冷却さ
れ、流出管５２から流出する。
【００５０】
冷媒対流体熱交換器２２における温度センサ７０は流体温度Ｔｗを検出し（Ｓ５）、流体温度Ｔｗと切替温度Ｔｏとを比較する（ステップＳ６）。流体温度Ｔｗが切替温度Ｔｏ以上の場合は、高温の流体が負荷側熱交換器５３を介して室内空間へ放熱し、室内空間の快適性が損なわれる可能性が高いと判断して現在の状態を維持して冷却を続ける。
【００５１】
流体温度Ｔｗが切替温度Ｔｏ未満の場合は、高温の流体が負荷側熱交換器５３を介して室内空間へ放熱し、室内空間の快適性が損なわれる可能性が低いと判断して、第二流路切替弁６１を第二切替回路６３側から負荷側熱交換器５３側へ切り替える（ステップＳ７）。制御装置４は、蓄熱運転要求があるまで現在の状態を継続する（ステップＳ１）。
【００５２】
以上のように、本実施の形態においては、蓄熱運転から冷房運転へ切り替える場合、温度センサ７０で検出される流体温度が所定温度以上のときに、第二流路切替弁６１を第二切替回路６３側へ切り替えることにより、流体回路５内の高温の流体が負荷側熱交換器５３へ流入せず、負荷側熱交換器５３を介して高温の流体から室内空間への放熱現象を解消できるので、室内空間の温度上昇を抑制できる。
【００５３】
また、温度センサ７０で検出される流体温度が所定温度未満のときに、第二流路切替弁６１を第二切替回路６３側から負荷側熱交換器５３側へ切り替えることにより、所定温度未満の流体が負荷側熱交換器５３へ流入し、蓄熱運転から冷房運転へ切り替えた直後から、室内空間を冷却することができる。
【００５４】
（実施の形態２）
図５に、本発明の第２の実施の形態に係る冷温水給湯装置１０を示す。なお、本実施の形態では、第１実施の形態と同一構成部分には同一符号を付して、その説明を省略する。本実施の形態でも、第１実施の形態と基本構成は同様であるが、空気温度センサ７１の追加設置が異なる。即ち、第１実施の形態の室内空間の室内空気温度を検出するために、空気温度センサ７１が設けられている。
【００５５】
上記空気温度センサ７１の追加設置されることに伴い、切替温度Ｔｏは、室内空間に設置された空気温度センサ７１の検出温度Ｔａと等しい温度に設定されている。ただし、本実施例では切替温度Ｔｏとして、室内空間に設置された空気温度センサ７１の検出温度Ｔａと等しい温度に設定しているが、切替温度Ｔｏは空気温度センサ７１の検出温度Ｔａに対して、数度低く、あるいは数度高く設定することができる。
【００５６】
この場合、流体の切替温度Ｔｏを室内空間の室内空気温度を元に設定されているため、第１実施の形態に示した切替温度Ｔｏが摂氏２０度の場合に対して、室内空間の室内空気温度が高い場合は、切替温度Ｔｏが室内空気温度の検出温度Ｔａ、またはその付近の温度になった時点で、第二流路切替弁６１を第二切替回路側６３から負荷側熱交換器５３側へ切り替えられるため、第１実施の形態の場合と比べて冷房待機運転から冷房運転へ早い段階で切り替えることができる（図４のステップＳ７）。
【００５７】
その結果、第１実施の形態の場合と比べて、第一循環回路を流体が循環している冷房待機時間の短縮化を図ることができるため、エネルギー効率を向上させることができる。
【００５８】
なお、図１から図３および図５では、流体回路５から第二切替回路６３への分岐点は、第一流路切替弁６０と負荷側熱交換器５３との間に位置するものとしているが、冷媒対流体熱交換器２２と第一流路切替弁６０との間に位置するものでもよい。
【産業上の利用可能性】
【００５９】
以上のように、本発明にかかる冷温水給湯装置は、蓄熱運転から冷房運転へ切り替えた場合、流体温度が所定温度未満のときに、第二流路切替弁を切り替えることにより、所定温度未満の流体が負荷側熱交換器へ流入し、冷房運転の場合の室内空間の快適性の低下を抑制することができるので、流体を加熱し、その流体を室内空間の加熱に利用する冷温水給湯暖房装置等の用途にも適用できる。
【符号の説明】
【００６０】
２  冷媒回路
４  制御装置
５  流体回路
１０  冷温水給湯装置
２１  圧縮機
２２  冷媒対流体熱交換器
２３  膨張手段
２４  冷媒対空気熱交換器
５３  負荷側熱交換器
５４  循環手段
５５  蓄熱タンク
６０  第一流路切替弁
６１  第二流路切替弁
６２  第一切替回路
６３  第二切替回路
７０  温度センサ
【図１】
2012117769.tif 000003
【図２】
2012117769.tif 000004
【図３】
2012117769.tif 000005
【図５】
2012117769.tif 000006
【図４】
2012117769.tif 000007
【図６】
2012117769.tif 000008